(57)【要約】      （修正有）【課題】安価な連結型の試料容器を提供する。【解決手段】連結型試料容器は、液体試料を保持する複数の試料容器２を連接させ接続片８によって一体に繋げた構成である。試料容器は、上部筒体２Ａと下部筒体２Ｂとから構成され、上部筒体は、円筒形状の第１筒部４と、第１筒部に連続して内周面に形成されたテーパ７により徐々に縮径している漏斗形状の第２筒部５と、を備える。下部筒体は、第２筒部に連続して略垂直に延在した後、椀状の底部に向けて縮径しており、外周面の径が上部筒体の外周面より小さい。接続片８は、上下方向の厚さが上部筒体の上下の高さ寸法の略半分以下で且つ平面の短手方向の幅寸法よりも小さい扁平な板で構成される。【選択図】図２
0003226473.tif 000002
【実用新案登録請求の範囲】
【請求項１】
液体試料を保持する複数の試料容器を連接させ一体に繋げた連結型試料容器であって、
前記試料容器は、
円筒形状の第１筒部と、前記第１筒部に連続して内周面に形成されたテーパにより徐々に縮径している漏斗形状の第２筒部と、を備える上部筒体と、
前記第２筒部に連続して略垂直に延在した後、椀状の底部に向けて縮径しており、その外周面の径が前記上部筒体の外周面より小さい下部筒体と、
から成り、
前記試料容器を試料容器ホルダの保持孔に挿嵌保持させたとき、前記上部筒体が前記保持孔の開口部の周縁に係止するよう前記上部筒体の外周面の径は前記下部筒体の外周面の径よりも大きく、
連接する前記試料容器は、それぞれの前記上部筒体で接続片によって連結されて、前記接続片は、上下方向の厚さが前記上部筒体の上下の高さ寸法の略半分以下で且つ平面の短手方向の幅寸法よりも小さい扁平な板で構成される連結型試料容器。
【請求項２】
前記接続片は、前記上部筒体の上側の水平面に沿って設けられる、請求項１に記載の連結型試料容器。
【請求項３】
ポリスチレンで一体形成されている、請求項１又は請求項２に記載の連結型試料容器。
【考案の詳細な説明】
【技術分野】
【０００１】
本考案は、血清又は血液などの試料を生化学自動分析装置にセットするための試料容器に関し、特に複数の試料容器を連結させた連結型試料容器に関する。
【背景技術】
【０００２】
採取した人体や動物等の血液、体液、粘膜又は嘔吐排出物を一時的に収納して医学的又は生理学的分析に用いるために、若しくはその他の液体又は物質等の検体を一時的に収容して生化学自動分析装置に配置する試料容器は、各種分野において広く用いられている。
【０００３】
従来、このような検体試料を収容している試料容器の自動分析機への配置は、試料容器ホルダに1個ずつ試料容器を手作業で配置していた。ところが、規模が大きい研究施設や医療施設においては、1日当たりの検体数は千件を超えており、試料容器ホルダに試料容器を配置する作業は膨大な作業時間となっている。
【０００４】
そこで、複数の試料容器を連結させて、一度で複数の試料容器を試料容器ホルダに配置できるように、複数の試料容器を連結板によって連結させた試料容器集合体が提供されている（特許文献１を参照）。
【先行技術文献】
【特許文献】
【０００５】
【特許文献１】特許第６６３５５３２号公報
【考案の概要】
【考案が解決しようとする課題】
【０００６】
しかしながら、複数の試料容器を連結させるのに連結板を設けると、その分のコストアップを招来する。また、このような連結型の試料容器は、一般的な規模の病院では検体数も少ないことから需要が限られており、そのため製造数が少量であり価格も高いままとなっている。
【０００７】
よって、特許文献１では、個別の試料容器に適宜に分離可能なよう構成し、融通性を持たせた試料容器集合体とすることで需要の喚起を図っている。しかし、特許文献１の連結板は、その中間部において縦方向に延在して設ける溝部は、連結板の一の側面に設けられる第一溝部と、該連結板の他の側面に設けられる第二溝部とで構成され、該第一溝部と該第二溝部は互いに背中合わせになる位置に設けられ、さらに連結板の厚みは、連結板上端面から連結板下端面に向かって薄くなる複雑な形状をしているため、コストアップは避けられない。
【０００８】
本考案は、上記の課題に鑑みなされたもので、安価な連結型の試料容器を提供することを目的としている。
【課題を解決するための手段】
【０００９】
本考案は、液体試料を保持する複数の試料容器を連接させ一体に繋げた連結型試料容器であって、前記試料容器は、円筒形状の第１筒部と、前記第１筒部に連続して内周面に形成されたテーパにより徐々に縮径している漏斗形状の第２筒部と、を備える上部筒体と、前記第２筒部に連続して略垂直に延在した後、椀状の底部に向けて縮径しており、その外周面の径が前記上部筒体の外周面より小さい下部筒体と、から成り、前記試料容器を試料容器ホルダの保持孔に挿嵌保持させたとき、前記上部筒体が前記保持孔の開口部の周縁に係止するよう前記上部筒体の外周面の径は前記下部筒体の外周面の径よりも大きく、連接する前記試料容器は、それぞれの前記上部筒体で接続片によって連結されて、前記接続片は、上下方向の厚さが前記上部筒体の上下の高さ寸法の略半分以下で且つ平面の短手方向の幅寸法よりも小さい扁平な板で構成される。
【００１０】
前記接続片は、前記上部筒体の上側の水平面に沿って設けられる。これにより、試料容器ホルダにセットしたとき、薄板で成る接続片と試料容器ホルダの上面との間には大きな隙間を生じることで作業者の指が入り易く、試料容器ホルダへの出し入れの作業性が向上する。
【００１１】
そして、試料容器と接続片とをポリスチレンで一体形成することで、大量製造の容易性、製造コスト等を低く抑えた連結型試料容器が提供される。
【考案の効果】
【００１２】
本考案による連結型試料容器は、複数の試料容器を連結する接続片を上下方向の厚さが前記上部筒体の上下の高さ寸法の略半分以下で且つ平面の短手方向の幅寸法よりも小さい扁平な板で構成したことで、原材料が少なくてすみ安価な連結型試料容器が提供される。しかも、薄板であるから鋏などで個々の試料容器を容易に分離できるため利便性の高い連結型試料容器である。
【図面の簡単な説明】
【００１３】
【図１】本考案の一実施の形態である連結型試料容器の正面図を示す。
【図２】図１の連結型試料容器をＡ−Ａ´断面図で示す。
【図３】連結型試料容器と試料容器ホルダを外観斜視図で示す。
【図４】試料容器ホルダが連結型試料容器を挿嵌保持した状態を正面断面図で示す。
【図５】連結型試料容器の治具を用いた取り扱い例の説明図を示す。
【考案を実施するための形態】
【００１４】
以下、本考案による連結型試料容器の一実施形態を説明する。図１は連結型試料容器１の正面図を示し、図２はそのＡ−Ａ´断面図を示している。連結型試料容器１は、一列に並べた５個の試料容器２を接続片８で連結して構成される。各試料容器２は、有底筒で構成されて開口３より注入される液体試料を保持する。
【００１５】
試料容器２は、上部筒体２Ａと下部筒体２Ｂとで構成される。上部筒体２Ａには、開口３を有する円筒形状の第１筒部４と、第１筒部４に連続して内周面に形成されたテーパ７により徐々に縮径している漏斗形状の第２筒部５とで構成されている。
【００１６】
下部筒体２Ｂは、第２筒部５に連続して略垂直に延在した後、椀状の底部に向けて縮径している垂直断面で略Ｕ字形状で構成されている。試料容器２において、開口から第１筒部４に注入される液体試料は、第２筒部５を通り又はテーパ７を伝って下部筒体２Ｂへ導入されて保持される。ここで、下部筒体２Ｂの外周面の径は上部筒体２Ａの外周面より小さくなっている。
【００１７】
このような試料容器２の具体的なサイズの一例を示すと、試料容器２の全高は３８ｍｍで、そのうちの上部筒体２Ａ及び下部筒体２Ｂのそれぞれの高さは１０ｍｍと２８ｍｍである。上部筒体２Ａの外周径は１７ｍｍで、下部筒体２Ｂの上端及び外径はそれぞれ１２．４ｍｍと１１．４ｍｍで下端に向けて漸次細くなっている。
【００１８】
図示の連結型試料容器１は、上部筒体２Ａの上側の水平面に沿って隣接する５つの試料容器２を接続片８によって連結して構成される。接続片８は、折れ曲がらない程度の薄い板、すなわち上下方向の寸法である厚さが上部筒体２Ａの上下の高さ寸法の略半分以下で且つ平面の短手方向の寸法である幅よりも小さい扁平な板で構成される。
【００１９】
試料容器２は、透明度の高いポリスチレンで構成することで、生化学自動分析装置にセットしたとき、液体試料が少量であっても迅速で正確なデータが得られる。そして、接続片８もポリスチレンで試料容器２と一体成形することで、大量製造の容易性、製造コスト等を低く抑えた連結型試料容器１が提供される。しかも、接続片８は薄い板であるから原材料が少なくてすむ。
【００２０】
また、接続片８は扁平な板であるから、鋏などを用いて容易に個々に又は連結数が所望の数の試料容器２に分離することができ、汎用性ないし利便性に富む連結型試料容器１である。
【００２１】
図３は、試料容器２が挿嵌保持される試料容器ホルダ１０の一例を示すものである。試料容器ホルダ１０は、試料容器２の下部筒体２Ｂが挿入される保持孔９を備え、保持孔９の内周の径は下部筒体２Ｂの上端外径より大きく、上部筒体２Ａの外径よりは小さくしている。そして、保持孔９の開口部の周縁には、上部筒体２Ａの下端と合致する径の凹部１１が設けられている。
【００２２】
試料容器２を保持孔９に挿嵌したとき、図４に示すように、上部筒体２Ａの下部が凹部１１で係止されることで、試料容器２は試料容器ホルダ１０に保持される。このように、連結型試料容器１の各試料容器２を試料容器ホルダ１０の保持孔９に挿嵌保持させた状態のとき、薄い板である接続片８と試料容器ホルダ１０の上面との間には作業者の指が容易に入り込む程度の隙間ｄが生じるため、連結型試料容器１の試料容器ホルダ１０への出し入れの作業性が向上する。
【００２３】
また、接続片８と試料容器ホルダ１０の上面との間には相当な隙間ｄが生じることから、図５に示すように、治具１２を用いて試料容器ホルダ１０への出し入れを行うこともできる。治具１２は、直角に折れ曲げられた鉤状のフック１３を備えており、フック１３の水平部分に各試料容器２同士の間の接続片８の下面を載置して連結型試料容器１を吊り下げる。
【００２４】
連結型試料容器１は、このような治具１２の使用を可能にした構成であるから、操作者は接続片８をフックで引っ掛けて連結型試料容器１を一挙に持ち上げることができ作業効率が一層向上する。そして、治具１２を使用すれば、試料容器２に指や手が触れることなく、試料容器ホルダ１０への出し入れを行うことができる。
【符号の説明】
【００２５】
１      連結型試料容器
２      試料容器
２Ａ    上部筒体
２Ｂ    下部筒体
４      第１筒部
５      第２筒部
７      テーパ
８      接続片
９      保持孔
１０    試料容器ホルダ
【図１】
0003226473.tif 000003
【図２】
0003226473.tif 000004
【図３】
0003226473.tif 000005
【図４】
0003226473.tif 000006
【図５】
0003226473.tif 000007